(57)【特許請求の範囲】
【請求項１】
幅方向の一方側から他方側に向けて、熱交換用の扁平チューブを挿入させる切り欠き部が形成されてなる扁平チューブ用フィンを製造する製造装置において、
未加工の金属製の薄板に切り欠き部を形成して金属帯状体とする金型装置が設けられたプレス装置と、
切り欠き部が形成されてなる金属帯状体を所定幅に切断し、幅方向に複数本整列してなる製品幅の金属帯状体を形成する列間スリット装置と、
列間スリット装置によって形成された複数本の製品幅の金属帯状体のそれぞれを、所定長さに切断するカットオフ装置とを具備し、
前記列間スリット装置から出た複数本の製品幅の金属帯状体は、下方にたるませた状態を経てから前記カットオフ装置に進入するように設けられ、
下方にたるませた状態の複数本の製品幅の金属帯状体の下面に当接して、複数本の製品幅の金属帯状体を支持する支持部が設けられていることを特徴とする扁平チューブ用フィンの製造装置。
【請求項２】
前記支持部は、下方にたるませた複数本の製品幅の金属帯状体の上下動に合わせて上下動可能であることを特徴とする請求項１記載の扁平チューブ用フィンの製造装置。
【請求項３】
前記支持部は、
前記カットオフ装置における複数本の製品幅の金属帯状体の引き込み速度に同期して上昇し、
前記カットオフ装置の引き込み停止時における前記列間スリット装置からの複数本の製品幅の金属帯状体の送り出し速度に同期して下降することを特徴とする請求項２記載の扁平チューブ用フィンの製造装置。
【請求項４】
前記支持部は、
上昇時において、下方にたるませた複数本の製品幅の金属帯状体の下面の上昇タイミングと同時又は早く上昇し、
下降時において、下方にたるませた複数本の製品幅の金属帯状体の下面の下降タイミングと同時又は遅く下降することにより、複数本の製品幅の金属帯状体の下面が常時当接しているように設けられていることを特徴とする請求項３記載の扁平チューブ用フィンの製造装置。
【請求項５】
前記支持部は、
複数の製品幅の金属帯状体の各下面が当接する複数の当接面が設けられ、
該当接面は、製品幅の金属帯状体の切り欠き部が形成された側面が上方、切り欠き部が形成されていない側面が下方となるように傾斜して形成され、
前記当接面には、切り欠き部が形成されていない側面に当接する側壁が形成されていることを特徴とする請求項１〜請求項４記載の扁平チューブ用フィンの製造装置。
【発明の詳細な説明】
【技術分野】
【０００１】
本発明は、扁平チューブを用いた熱交換器用のフィンを製造する扁平チューブ用フィンの製造装置に関する。
【背景技術】
【０００２】
従来のクーラー等の熱交換器は、熱交換チューブを挿入する透孔が複数個穿設された熱交換器用フィンが複数枚積層されて構成されているものが一般的である。
かかる熱交換器用フィンは、図５に示す熱交換器用フィンの製造装置によって製造される。
熱交換器用フィンの製造装置には、アルミニウム等の金属製の薄板１０がコイル状に巻かれたアンコイラー１２が設けられている。アンコイラー１２からピンチロール１４を経て引き出された薄板１０は、オイル付与装置１６に挿入され、加工用オイルをその表面に付着され、プレス装置１８内に設けられた金型装置２０に供給される。
【０００３】
金型装置２０は、内部に上下動可能な上型ダイセット２２と、静止状態にある下型ダイセット２４とが設けられている。この金型装置２０によって、透孔の周囲に所定高さのカラーが形成された複数個のカラー付き透孔（図示せず）が所定の方向に所定の間隔で形成される。以下、金属製の薄板に透孔等が加工されたものを、金属帯状体１１と称する。
【０００４】
ここで加工された金属帯状体１１は、製品となる熱交換器用フィンが幅方向に複数配列されて形成されている。このため、金型装置２０内には、列間スリット装置が設けられている。列間スリット装置は、間欠送りされる金属帯状体４９を、噛み合わせた上刃と下刃とで切断し、搬送方向に長い帯状の製品（以下、製品幅の金属帯状体と称する場合がある）を製造する。
【０００５】
製品幅の金属帯状体は、カッター２６によって所定長さに切断される。所定長さに切断された製品（熱交換器用フィン）は、スタッカ２８に収容される。スタッカ２８は、鉛直方向に立設された複数のピン２７を有しており、透孔内にピン２７を挿入させて製造された熱交換器用フィンを積層している。
【先行技術文献】
【特許文献】
【０００６】
【特許文献１】特開平６−２１１３９４号公報
【発明の概要】
【発明が解決しようとする課題】
【０００７】
従来の熱交換器用フィンは、金属帯状体に熱交換チューブが挿入される複数の透孔を穿設されたものであった。
しかしながら現在、多穴の扁平チューブを用いた熱交換器が開発されてきている。この扁平チューブを用いた熱交換器用フィン（以下、扁平チューブ用フィンと称する場合がある）を図６（ａ）、（ｂ）に示す。
【０００８】
扁平チューブ用フィン３０は、扁平チューブ３２が挿入される切り欠き部３４が複数箇所に形成されており、切り欠き部３４と切り欠き部３４との間は、ルーバー３５が形成された板状部３６が形成されている。
切り欠き部３４は、フィン３１の幅方向の一方側からのみ形成されている。したがって、切り欠き部３４と切り欠き部３４との間の複数の板状部３６は、長手方向に沿って伸びる連結部３８によって連結されている。
【０００９】
ところで、扁平チューブ用フィンを製造する製造装置における、製品幅の金属帯状体を所定長さに切断して製品である熱交換器用フィンを形成するカットオフ装置では、製品の長さを任意に変更できるように、プレス装置における製品幅の金属帯状体の１回（型閉じ１回）の送り長さよりも、カットオフ1回の送り長さを長くすることができる。
このため、プレス装置とカットオフ装置との間では、カットオフ装置による１回の送り長さよりも長い長さを一時的に溜めるため、製品幅の金属帯状体を下方にたるませておくことが検討されている。
【００１０】
しかし、製品幅の金属帯状体は、極めて肉薄に形成されているため、たるませている箇所において自重によって変形するおそれがあるという課題がある。
【００１１】
そこで本発明は上記課題を解決すべくなされ、その目的とするところは、扁平チューブ用フィンの製造時に、製品幅の金属帯状体の変形を防止できる扁平チューブ用フィンの製造装置を提供することにある。
【課題を解決するための手段】
【００１２】
本発明にかかる扁平チューブ用フィンの製造装置によれば、幅方向の一方側から他方側に向けて、熱交換用の扁平チューブを挿入させる切り欠き部が形成されてなる扁平チューブ用フィンを製造する製造装置において、未加工の金属製の薄板に切り欠き部を形成して金属帯状体とする金型装置が設けられたプレス装置と、切り欠き部が形成されてなる金属帯状体を所定幅に切断し、幅方向に複数本整列してなる製品幅の金属帯状体を形成する列間スリット装置と、列間スリット装置によって形成された複数本の製品幅の金属帯状体のそれぞれを、所定長さに切断するカットオフ装置とを具備し、前記列間スリット装置から出た複数本の製品幅の金属帯状体は、下方にたるませた状態を経てから前記カットオフ装置に進入するように設けられ、下方にたるませた状態の複数本の製品幅の金属帯状体の下面に当接して、複数本の製品幅の金属帯状体を支持する支持部が設けられていることを特徴としている。
この構成を採用することによって、たるませた製品幅の金属帯状体の下面が支持部で支持され、製品幅の金属帯状体が変形してしまうことを防止することができる。
【００１３】
また、前記支持部は、下方にたるませた複数本の製品幅の金属帯状体の上下動に合わせて上下動可能であることを特徴としてもよい。
この構成によれば、列間スリット装置からの製品幅の金属帯状体が送り出される速度と、カットオフ装置で製品幅の金属帯状体の引き込み速度との関係で、複数本の製品幅の金属帯状体のたるみが大きくなったり又は小さくなったりするなど、複数本の製品幅の金属帯状体の下面の位置が上下動することもあるが、この上下動に合わせて製品幅の金属帯状体の下面を支持可能となるので製品幅の金属帯状体が変形してしまうことを防止することができる。
【００１４】
また、前記支持部は、前記カットオフ装置における複数本の製品幅の金属帯状体の引き込み速度に同期して上昇し、前記カットオフ装置の引き込み停止時における前記列間スリット装置からの複数本の製品幅の金属帯状体の送り出し速度に同期して下降することを特徴としてもよい。
この構成を採用することによって、複数本の製品幅の金属帯状体の搬送速度に基づき、製品幅の金属帯状体の下面の位置の上下動に合わせて製品幅の金属帯状体の下面を支持することで製品幅の金属帯状体が変形してしまうことを防止することができる。
【００１５】
また、前記支持部は、上昇時において、下方にたるませた複数本の製品幅の金属帯状体の下面の上昇タイミングと同時又は早く上昇し、下降時において、下方にたるませた複数本の製品幅の金属帯状体の下面の下降タイミングと同時又は遅く下降することにより、複数本の製品幅の金属帯状体の下面が常時当接しているように設けられていることを特徴としてもよい。
この構成によれば、支持部は常に製品幅の金属帯状体の下面に当接するように上下動するので、製品幅の金属帯状体の変形防止を確実に行うことができる。
【００１６】
さらに、前記支持部は、複数の製品幅の金属帯状体の各下面が当接する複数の当接面が設けられ、該当接面は、製品幅の金属帯状体の切り欠き部が形成された側面が上方、切り欠き部が形成されていない側面が下方となるように傾斜して形成され、前記当接面には、切り欠き部が形成されていない側面に当接する側壁が形成されていることを特徴としている。
すなわち、切り欠き部が形成されている側の側面は強度が弱いため、なんらかの部材に接触させることが好ましくない。そこで、切り欠き部が形成されている側の側面は傾斜面の上方に位置させて何も接触させないようにし、切り欠き部が形成されていない側が重力によって当接面の傾斜を下降して側壁で支持される。このため、支持部において製品幅の金属帯状体を確実に支持すると共に、切り欠き部が形成されている側の変形を防止することができる。
【発明の効果】
【００１７】
本発明によれば、扁平チューブ用フィンの製造時に、製品幅の金属帯状体の変形を防止できる。
【図面の簡単な説明】
【００１８】
【図１】扁平チューブ用フィンの製造装置の全体構成を示す側面図である。
【図２】図１の金型装置によって加工された金属帯状体の平面図である。
【図３】プレス装置とカットオフ装置との間に設けられた支持部の正面図である。
【図４】製品幅の金属帯状体をたるませたループの上下動を示す説明図である。
【図５】熱交換器用フィンを製造する製造装置の全体構成を説明する説明図である。
【図６】（ａ）扁平チューブ用フィンの平面図である。（ｂ）扁平チューブ用フィンの側面図である。
【発明を実施するための形態】
【００１９】
本発明に係る扁平チューブ用フィンの製造装置の全体構成を図１に示す。
アルミニウム等の未加工の金属製の薄板４１は、アンコイラー４０にコイル状に巻回されている。アンコイラー４０から引き出された薄板４１は、ループコントローラ４２内に挿入され、間欠送りされる薄板４１のばたつきがループコントローラ４２によって抑えられる。
【００２０】
ループコントローラ４２の下流側には、ＮＣフィーダ４４が設けられている。ＮＣフィーダ４４は、薄板４１の上面と下面とに接触する２つのローラから構成されており、２つのローラが回転駆動することにより、薄板４１を互いに挟み込んで薄板４１を間欠送りする。
ＮＣフィーダ４４の下流側には、金型装置４６が内部に配置されたプレス装置４８が設けられている。プレス装置４８において、薄板４１が金型装置４６によって所定の形状の金属帯状体４９に形成される。
【００２１】
ここで形成される金属帯状体４９を図２に示す。
図２に示す金属帯状体４９は、搬送方向Ａに直交する幅方向に４つの製品が並んで形成されている。
金属帯状体４９の各製品については、図６を参照して説明するが、扁平チューブ３２が挿入される切り欠き部３４が複数箇所に形成されており、切り欠き部３４と切り欠き部３４との間は、ルーバー３５が形成された板状部３６が形成されている。また、ルーバー３５の幅方向の両端部側には、金属製の薄板が切り起こされて形成された開口部３７が形成されている。１つのルーバー３５に対する２つの開口部３７，３７のうち、一方側の開口部３７は、板状部３６の先端部側に形成されている。
【００２２】
切り欠き部３４は、フィン３０の幅方向の一方側からのみ形成されている。したがって、切り欠き部３４と切り欠き部３４との間の複数の板状部３６は、長手方向に沿って伸びる連結部３８によって連結されている。
上記の１つのルーバー３５に対する２つの開口部３７，３７のうち、他方側の開口部３７は、この連結部３８上に形成されている。
【００２３】
図２の金属帯状体４９は、２つの製品が、互いの切り欠き部３４の開口側が隣接するように対峙して配置されている組が、２組形成されている。すなわち、２つの製品の切り欠き部３４の開口側が対峙して配置された組が、互いの連結部３８同士が隣接するように配置されている。
このように、４つの製品を相対するように配置することによって、金型の左右の荷重バランスが良くなる。
【００２４】
なお、図２のような金属帯状体と異なり、複数の製品の切り欠き部３４の開口側が全て一方方向に向いて配置させてしまうと、各製品を切り離す列間スリット装置５２（後述する）によって各製品間を切り離す際に、切り欠き部３４とそうでない部位との間で、切断位置のずれによる切断片（ヒゲ：切断不良）が生じてしまう可能性が高い。したがって、複数の製品の切り欠き部３４の開口側が全て一方方向に向いて配置させる場合には、切り欠き部３４の開口部の境目ではなく、連結部３８部分に進入した位置まで切り欠き部３４の開口部分を若干広げ、切断させる必要が出てくる。しかし、この場合だと断面に段差が生じてしまうし、また金型の左右の荷重バランスが悪くなる。したがって、図２に示したような配置で複数の製品を製造することが好ましい。
【００２５】
製造装置の全体構成の説明に戻る。
プレス装置４８内の金型装置４６で形成された金属帯状体４９は、プレス装置４８の下流側に設けられている送り装置５０によって間欠的に搬送方向に送られる。送り装置５０の送りタイミングは、ＮＣフィーダ４４と連動して動作するように設けられており、安定した間欠送りを可能とする。
【００２６】
送り装置５０は、水平方向に移動可能な往復動ユニット５１が、初期位置と移送位置との間を往復動して金属帯状体４９を牽引する。往復動ユニット５１の上面には、送りピン５５が上方に突出して配置されており、送りピン５５が金属帯状体４９に形成された切り欠き部３４内に下方から進入し、送りピン５５が牽引することで金属帯状体４９は移送位置まで移動する。
【００２７】
送り装置５０の下流側には、列間スリット装置５２が設けられている。列間スリット装置５２は、金属帯状体４９の上面側に配置された上刃５３と、金属帯状体４９の下面側に配置された下刃５４とを有する。列間スリット装置５２は、プレス装置４８の上下動動作を利用して動作するように設けるとよい。
上刃５３及び下刃５４は、金属帯状体４９の搬送方向に長尺に形成されており、間欠送りされる金属帯状体４９を、噛み合わせた上刃５３と下刃５４とで切断し、搬送方向に長い帯状の製品（以下、製品幅の金属帯状体と称する場合がある）を製造する。
【００２８】
列間スリット装置５２によって製品幅に切断された、複数本の製品幅の金属帯状体４９は、カットオフ装置６０内に送り込まれる。
なお、カットオフ装置６０に送り込まれる前に、複数本の製品幅の金属帯状体４９は、隣り合う製品幅の金属帯状体４９同士の間を所定間隔（後述するスタック装置の構造にもよるが、５〜１０ｍｍ程度）あけるように配置される。また、カットオフ装置６０に送り込まれる前には、複数本の製品幅の金属帯状体４９は、カットオフ装置６０による１回の送り長さよりも長い長さを一時的に溜めるため、下方にたるませるようにしている（図１の符号Ｂ）。
【００２９】
カットオフ装置６０内には、搬送方向に各製品幅の金属帯状体４９を間欠的に搬送する送り装置６２が設けられている。送り装置６２の構造としては、プレス装置４８の下流側に設けられている送り装置５０の構造よりも、１回の送り長さが長くすることができるような構成となっている。
送り装置６２は、水平方向に移動可能な搬送ユニット６４が、所定距離移動することにより製品幅の金属帯状体４９をプレス装置４８側から牽引し、カットオフ装置６０の下流側に押し出す。搬送ユニット６４の上面には、製品幅の金属帯状体４９の数だけ水平方向に並んだ複数列の送りピン６５が列状に上方に突出して配置されている。送りピン６５が各製品幅の金属帯状体４９に形成された切り欠き部３４内に下方から進入し、送りピン６５が牽引することで各製品幅の金属帯状体４９は移送位置まで移動する。
【００３０】
送り装置６２の下流側には、切断装置６６が設けられている。
切断装置６６は、各製品幅の金属帯状体４９を所定長さに切断することにより、最終的な扁平チューブ用フィン３０を作成する。切断装置６６は、各製品幅の金属帯状体４９の上面側に配置された上刃６８と、各製品幅の金属帯状体４９の下面側に配置された下刃６９とを有する。
上刃６８と下刃６９とが型閉じすることによって、各製品幅の金属帯状体４９が搬送方向に沿って所定長さに切断され、扁平チューブ用フィン３０が製造される。
【００３１】
製造された扁平チューブ用フィン３０は、スタック装置８０に複数枚積層されてスタックされる。
扁平チューブ用フィンのスタックの一例について説明する。カットオフ装置６０により所定寸法に切断された扁平チューブ用フィン３０は、保持状態を継続する保持装置７０に保持される。保持装置７０の下方には、カットオフ装置６０により所定長さに切断された扁平チューブ用フィン３０を積層させるためのスタック装置８０が設けられている。
【００３２】
保持装置７０は、列間スリット装置５２から送り出される製品幅の金属帯状体４９の側方位置と製品幅の金属帯状体の保持位置との間で互いに接離動可能に設けられた一対の保持体７１を有している。
スタック装置８０は、保持装置７０により保持されている扁平チューブ用フィン３０の切り欠き部３４に下方から挿通させるように、上下方向に移動可能な複数本のスタックピン８１と、スタックピン８１に挿通された複数枚の扁平チューブ用フィン３０のうち最下部の扁平チューブ用フィンの下面に当接し、スタックピン８１の上下方向への移動とは別個に上下方向に移動可能なフィン受け部８８とを備えている。
【００３３】
スタック装置の例としてはこのような構造のものに限定はしなくてもよく、例えばマガジン状のものを採用することもできる。
【００３４】
上述したように、プレス装置４８と、カットオフ装置６０との間では、複数本の製品幅の金属帯状体４９をたるませて形成している。以下、このたるませた部分をループＢと称する場合がある。
ループＢの下端部には、各ループＢを支持する複数の支持部９０が設けられている。図３に支持部９０の正面図を示す。
各支持部９０は、各製品幅の金属帯状体４９のそれぞれを支持可能となるように、各製品幅の金属帯状体４９ごとに設けられている。これら各支持部９０は、１つの基台９１の上に配置され、基台９１の上下動により同時に上下動可能である。
【００３５】
各支持部９０の構造を説明する。
支持部９０は、製品幅の金属帯状体４９のループＢの下面が当接する当接面９２が形成されている。この当接面９２は搬送方向に対して直交する方向（幅方向）に傾斜して形成されている。傾斜した当接面９２の下方側端部には、上方に起立する側壁９４が設けられている。
この側壁９４に製品幅の金属帯状体４９の幅方向の端縁が当接してガイドされる。なお、製品幅の金属帯状体４９においては、切り欠き部３４が形成されている側は強度的に弱いので、切り欠き部３４が形成されている側は側壁９４には当接しないように設けられている。
すなわち、支持部９０の当接面９２の傾斜方向は、製品幅の金属帯状体４９の切り欠き部３４が形成されていない側（連結部３８が形成されている側）が下方となるような向きに傾斜している。
【００３６】
本実施形態で示す例では、図２に示したように、製品幅の金属帯状体４９は、互いの切り欠き部３４の開口側が隣接するように対峙して配置されている組が、２組形成されているものである。
このため、図３の支持部９０も、搬送方向に直交する幅方向に４つ設けられ、互いの切り欠き部３４が対峙するよう、２つの支持部９０の各当接面９２がいわゆる拝み勾配（又は屋根勾配）となるよう配置された組が、２組設けられている。
【００３７】
支持部９０には、当接面９２を上下動させるための上下動手段９６を有している。上下動手段９６としては、ボールネジ、流体シリンダー等が挙げることができる。本実施形態では、上下動手段９６としてはボールネジ９７を採用している。ボールネジ９７は、基台９１の中央に取り付けられ、基台９１から下方に向かって延びている。ボールネジ９７を回転させるために、サーボモータ９８が設けられている。サーボモータ９８の回転軸が直接ボールネジ９７を回転させてもよいし、サーボモータ９８は、ボールネジ９７の軸線上とは異なる場所に配置されて、サーボモータ９８の回転軸に掛け渡されているベルト等でボールネジ９７を回転させてもよい。
このように、サーボモータ９８の回転制御によって支持部９０の上下動を精密に制御することができる。
【００３８】
続いて、図４に基づいて支持部の上下動について説明する。
支持部９０は、常に製品幅の金属帯状体４９のループＢの下面を支持するように上下動可能である。上下動は上述したようにボールネジ９７とサーボモータ９８を有する上下動手段９６によって行われる。
まず、ループＢの動きについて説明する。ループＢは、図４の下限位置と上限位置との間で上下動している。カットオフ装置６０は、カットオフ装置６０内の送り装置６２によって製品幅の金属帯状体４９を引き込むが、本実施形態では、カットオフ装置６０の動作１サイクル３．４秒の間に１回約１０００ｍｍを引き込む。最初に下限位置にあったループＢはカットオフ装置６０内への引き込みにより、図４の上限位置に一度に上昇する。
【００３９】
一方、プレス装置４８においては０．１７秒に１回約５０ｍｍを送り出している。
したがって、プレス装置４８からは間欠的にではあるが、３．４秒では約１０００ｍｍ送り出される。このように、予めたるませてあるループＢは、上記のように３．４秒間では一度に約１０００ｍｍ引き込まれる一方で、３．４秒間の間に間欠的に約１０００ｍｍ送り出されてくるので、上下動を繰り返すのである。
【００４０】
このように、ループＢは、カットオフ装置６０によって一度に１０００ｍｍ引き込まれて下限位置から上限位置まで上昇し、次のカットオフ装置６０の引き込みまでの３．４秒間は、プレス装置からの間欠的な送り出しに合わせて徐々に下降していき、下限位置へ至る。
【００４１】
このように本実施形態でのループＢは、一度に上昇し、徐々に下降することを繰り返している。
そして、支持部９０の上下動手段９６は、このようなループＢの上下動に伴って支持部９０が常にループＢを支持できるように上下動を行っている。また、上下動手段９６の動作制御は、ＣＰＵ等から構成される制御部１００によって実行される。
【００４２】
例えば、支持部９０の上下動手段９６を制御する制御部１００には、プレス装置４８の送り装置５０の制御信号及びカットオフ装置６０の送り装置６２の制御信号が入力され、制御部１００の制御動作は、各送り装置５０及び６２の動作に同期して実行される。
制御部１００は、カットオフ装置６０の送り装置６２の動作開始と同時又は動作開始よりも早いタイミングで、ループＢの上昇速度と同じ速度で支持部９０を上昇させるように、サーボモータ９８の回転数を制御する。このようにすることで、支持部９０の上昇よりも早くループＢが上昇してループＢの下面が支持部９０の当接面９２から離間してしまうことを防止できる。
【００４３】
また、ループＢが上限位置に達した後、カットオフ装置６０の引き込み動作は３．４秒後に再開されるが、その間プレス装置４８から間欠的に（０．１７秒に1回、約５０ｍｍづつ）製品幅の金属帯状体４９が送り出される。
このためループＢは上限位置から下限位置まで、間欠的に下降していく。
制御部１００は、プレス装置４８からの送り出しの動作開始と同時又は動作開始よりも遅いタイミングで、ループＢの下降速度と同じ速度で支持部９０を下降させるように、サーボモータ９８の回転数を制御する。このようにすることで、支持部９０の下降よりも遅くループＢが下降してループＢの下面が支持部９０の当接面９２から離間してしまうことを防止できる。
【００４４】
なお、本実施形態としては、上下動手段９６をボールネジ９７とサーボモータ９８で実現する例について説明した。
しかし、上下動手段としては、流体シリンダー等他の手段を用いてもよい。
【００４５】
また、ループＢの上下動は、カットオフ装置６０の引き込みとプレス装置４８の送り出しのタイミングの相違によって生じるものであるが、上述してきた実施形態のような引き込み量及び送り出し量に限定するものではない。
【００４６】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００４７】
３０   扁平チューブ用フィン
３２   扁平チューブ
３４   切り欠き部
３５   ルーバー
３６   板状部
３７   開口部
３８   連結部
４０   アンコイラー
４１   薄板
４２   ループコントローラ
４４   ＮＣフィーダ
４６   金型装置
４８   プレス装置
４９   金属帯状体
５０   送り装置
５１   往復動ユニット
５２   列間スリット装置
５３   上刃
５４   下刃
５５   送りピン
６０   カットオフ装置
６２   送り装置
６４   搬送ユニット
６５   送りピン
６６   切断装置
６８   上刃
６９   下刃
７０   保持装置
７１   保持体
８０   スタック装置
８１   スタックピン
８８   フィン受け部
９０   支持部
９１   基台
９２   当接面
９４   側壁
９６   上下動手段
９７   ボールネジ
９８   サーボモータ
１００ 制御部
【図１】
0005445876.tif 000002
【図２】
0005445876.tif 000003
【図３】
0005445876.tif 000004
【図４】
0005445876.tif 000005
【図５】
0005445876.tif 000006
【図６】
0005445876.tif 000007